(57)【要約】【課題】プリンタ構造などにより折り畳むことができる連続紙の大きさが限定され、折り畳み長が定められた所定範囲の下限よりも小さい連続紙の場合でも折り畳むことができる用紙折り畳み装置、及び用紙折り畳み方法を提供する。【解決手段】所定間隔毎に切り取り線が設けられた連続紙Ｐが搬送され、折り畳み制御手段により、隣り合う切り取り線の間隔で定まる用紙長が予め決められた所定範囲の大きさの場合には、連続紙Ｐが折り返されるように揺動する揺動手段により用紙長で順次折り返され、用紙長が所定範囲の下限未満の場合には、用紙長の２以上の整数倍の折り畳み長で揺動手段により折り返されるので、折り畳むことができない小さい連続紙Ｐの場合でも折り畳むことができる。【選択図】図５
2008063109.tif 000002
【特許請求の範囲】
【請求項１】
所定間隔毎に切り取り線が設けられた連続紙を搬送する搬送手段と、
前記搬送手段により搬送された前記連続紙が折り返されるように揺動する揺動手段と、
前記揺動手段で折り返された前記連続紙を収納する収納手段と、
前記連続紙の隣り合う前記切り取り線の間隔で定まる用紙長が、前記収納手段に応じて予め定められた所定範囲内の大きさの場合には、前記用紙長で順次折り返されるように前記揺動手段の揺動を制御し、前記用紙長が前記所定範囲の下限未満の場合には、前記用紙長の２以上の整数倍でかつ所定範囲の上限以下の折り畳み長で順次折り返されるように前記揺動手段の揺動を制御する折り畳み制御手段と、
を備えた用紙折り畳み装置。
【請求項２】
前記折り畳み長を、前記用紙長の奇数倍の長さとした請求項１記載の用紙折り畳み装置。
【請求項３】
前記用紙長を示す情報を入力する入力手段と、
前記用紙長と前記折り畳み長とを対応させて記憶した記憶手段とを更に備え、
前記折り畳み制御手段は、前記入力手段により入力された前記用紙長の情報に対応した前記記憶手段に記憶されている前記折り畳み長で前記連続紙を折り返すように前記揺動手段の揺動を制御する請求項１又は請求項２記載の用紙折り畳み装置。
【請求項４】
所定間隔毎に切り取り線が設けられた連続紙を搬送する搬送工程と、
前記搬送工程により搬送された前記連続紙が折り返されるように揺動する揺動工程と、
前記揺動工程で折り返された前記連続紙を収納する収納工程と、
前記連続紙の隣り合う前記切り取り線の間隔で定まる用紙長が、前記収納工程に応じて予め定められた所定範囲内の大きさの場合には、前記用紙長で順次折り返されるように前記揺動工程の揺動を制御し、前記用紙長が前記所定範囲の下限未満の場合には、前記用紙長の２以上の整数倍でかつ所定範囲の上限以下の折り畳み長で順次折り返されるように前記揺動工程の揺動を制御する折り畳み制御工程と、
を備えた用紙折り畳み方法。
【発明の詳細な説明】
【技術分野】
【０００１】
本発明は、印刷された連続紙を切り取り線の位置で折り畳む用紙折り畳み装置、及び用紙折り畳み方法に関する。
【背景技術】
【０００２】
従来、プリンタ等で連続紙の所定間隔ごとに折り畳み用の切り取り線（以下、ミシン目と呼ぶ）が設けられた連続紙を印刷する場合には、連続紙を順次印刷した後、この連続紙を排出するとき、モータで駆動される揺動手段（以下、スイングフィンと呼ぶ）の揺動動作によって連続紙はミシン目の位置で折り返され、スイングフィン後段のスタッカテーブル上に折り畳まれる。
【０００３】
このスイングフィンの揺動動作の振り角（振り幅）は、用紙長（連続紙におけるミシン目間隔で定まる用紙の長さ）に応じて制御され、短い用紙では振り角を小さく、長い用紙では振り角を大きく設定している。
【０００４】
従来の制御では、スイングフィンは等速度であり、揺動動作の折り返し点におけるミシン目に対する反転タイミング（折り返しタイミング）は、すべての用紙長において同じであるため、すべての用紙長での安定した用紙の折り畳み性を達成することは困難であった。
【０００５】
そこで、スイングフィンの揺動動作の折り返し点におけるミシン目に対する反転動作を始めるタイミングを用紙長に応じて変化させるタイミング制御手段を付加し、このタイミング制御手段によって用紙長が短くなる程、反転タイミングが遅れるよう設定することが行われている（特許文献１参照）。具体的には、スイングフィンの揺動動作の折り返し点における一時停止動作から反転動作を始めるタイミングを用紙長に応じて変化させている。揺動動作の反転タイミングを用紙長に応じて変化させることで常にスイングフィンの揺動により折り返された１ページ前の用紙の折りミシン目を確実にパドルにより押さえることができるので、用紙長が変わっても安定した折り畳みが可能になる。
【特許文献１】特開平８−２６８６３９号公報
【発明の開示】
【発明が解決しようとする課題】
【０００６】
しかしながら、従来技術では、折り畳み機能があるスタッカでは、連続紙を収納するスタッカの大きさやスタッカ内での連続紙の動きを制御するスイングアームの動作制限により、折り畳みサイズが制限されているので、小さいサイズの連続紙を折り畳むことはできないという問題がある。
【０００７】
本発明は、プリンタ構造などにより折り畳むことができない連続紙（定められた所定範囲の下限よりも小さい用紙長を持つ連続紙）でも折り畳むことができる用紙折り畳み装置、及び用紙折り畳み方法を提供することを目的とする。
【課題を解決するための手段】
【０００８】
上記目的を達成するために、本発明の用紙折り畳み装置は、所定間隔毎に切り取り線が設けられた連続紙を搬送する搬送手段と、前記搬送手段により搬送された前記連続紙が折り返されるように揺動する揺動手段と、前記揺動手段で折り返された前記連続紙を収納する収納手段と、前記連続紙の隣り合う前記切り取り線の間隔で定まる用紙長が、前記収納手段に応じて予め定められた所定範囲内の大きさの場合には、前記用紙長で順次折り返されるように前記揺動手段の揺動を制御し、前記用紙長が前記所定範囲の下限未満の場合には、前記用紙長の２以上の整数倍でかつ所定範囲の上限以下の折り畳み長で順次折り返されるように前記揺動手段の揺動を制御する折り畳み制御手段と、を備えている。
【０００９】
本発明の用紙折り畳み装置によれば、所定間隔毎に切り取り線が設けられた連続紙が搬送され、折り畳み制御手段により、隣り合う切り取り線の間隔で定まる用紙長が予め決められた所定範囲の大きさの場合には、連続紙が折り返されるように揺動する揺動手段により用紙長で順次折り返され、用紙長が所定範囲の下限未満の場合には、用紙長の２以上の整数倍の折り畳み長で揺動手段により折り返されるので、折り畳むことができない小さい連続紙の場合でも折り畳むことができる。
【００１０】
本発明の用紙折り畳み装置では、前記折り畳み長を、前記用紙長の奇数倍の長さとすることができる。奇数倍にすることにより折り畳む際に元々折り畳まれていた方向と同じ方向に畳まれるので折り畳み易くなる。
【００１１】
本発明の用紙折り畳み装置では、前記用紙長を示す情報を入力する入力手段と、前記用紙長と前記折り畳み長とを対応させて記憶した記憶手段とを更に備え、前記折り畳み制御手段は、前記入力手段により入力された前記用紙長の情報に対応した前記記憶手段に記憶されている前記折り畳み長で前記連続紙を折り返すように前記揺動手段の揺動を制御することができる。
【００１２】
本発明の用紙折り畳み方法は、所定間隔毎に切り取り線が設けられた連続紙を搬送する搬送工程と、前記搬送工程により搬送された前記連続紙が折り返されるように揺動する揺動工程と、前記揺動工程で折り返された前記連続紙を収納する収納工程と、前記連続紙の隣り合う前記切り取り線の間隔で定まる用紙長が、前記収納工程に応じて予め定められた所定範囲内の大きさの場合には、前記用紙長で順次折り返されるように前記揺動工程の揺動を制御し、前記用紙長が前記所定範囲の下限未満の場合には、前記用紙長の２以上の整数倍でかつ所定範囲の上限以下の折り畳み長で順次折り返されるように前記揺動工程の揺動を制御する折り畳み制御工程と、を備えている。
【００１３】
本発明の用紙折り畳み方法によれば、連続紙が搬送され、折り畳み制御工程により、用紙長が予め決められた所定範囲の大きさの場合には、揺動工程により用紙長で順次折り返され、用紙長が所定範囲の下限未満の場合には、用紙長の２以上の整数倍の折り畳み長で揺動工程により折り返されるので、折り畳むことができない小さい用紙の場合でも折り畳むことができる。
【発明の効果】
【００１４】
以上説明したように本発明によれば、定められた所定範囲の下限よりも小さいサイズの用紙長を持つ連続紙でも、折り畳むことができるという効果が得られる。
【発明を実施するための最良の形態】
【００１５】
本実施の形態を図１を参照して説明する。図１は、本実施の形態に係る連続紙を折り畳む用紙折り畳み装置を備えた連続紙印刷装置１０の概略構成を示した概略図である。
【００１６】
図１に示すように、本実施の形態に係る用紙折り畳み装置は、図６に示されるように１枚毎に切り離し可能な複数のミシン目１１を持ち、ミシン目１１で折り畳まれた連続紙Ｐに画像や文字などが印刷された後に、印刷された連続紙Ｐを折り畳むための装置である。
【００１７】
連続紙印刷装置１０には、ＣＰＵ、ＲＡＭ、及び制御プログラムが記憶されたＲＯＭを備えたマイクロコンピュータで構成されたコントローラ１２、連続紙印刷装置１０の上面に設けられたタッチパネル１８、折り畳まれた連続紙Ｐを収納するエレベータスタッカＳ、第１搬送ローラ３０、第２搬送ローラ３２、第３搬送ローラ３４、及び折り畳み長変換テーブルが記憶されたメモリ９０が設けられている。エレベータスタッカＳは折り畳み長が所定範囲内の大きさ（例えば、７インチ〜１４インチ）の連続紙Ｐを折り畳んで収納することができる。折り畳み長変換テーブルは、図８に示すように、用紙長と、用紙長を奇数倍した長さの折り畳み長と、印刷ができるかどうかの可否情報との関係を表している。
【００１８】
エレベータスタッカＳは、後述するように折り畳み長が所定範囲内の用紙のみを収納することができ、折り畳み長が所定範囲外の用紙は収納することができないので、折り畳み長は、所定範囲内の値になるように定められている。また、連続紙Ｐは図６に示すように折り畳まれた状態から引き伸ばされて連続紙印刷装置１０内に供給されるので、印刷後、折り畳んで収納するときには折り畳まれていた状態と同じ方向に折り畳む必要がある。このため、折り畳み長は、用紙長の奇数倍の長さになるように定められている。
【００１９】
すなわち、図８に示すように、用紙長が最小値（例えば、１．０インチ）の場合には、折り畳み長は奇数倍したときの折り畳み長が所定範囲の下限値（本実施の形態では７インチ）に対応し、用紙長が最大値（例えば、１４．０インチ）の場合には、折り畳み長は奇数倍したときの折り畳み長が所定範囲の上限値（本実施の形態では１４インチ）に対応するように定められている。
【００２０】
また、例えば、３インチの用紙長のように用紙長が短い場合、従来のスイングアームでは連続紙Ｐがスイングアーム３６の中に入って折り畳めなくなる。しかし、本実施の形態の用紙折り畳み装置では、用紙長の奇数倍の折り畳み長で折り畳むため、短い用紙長の場合でも長い用紙長の場合と同様に折り畳むことができる。
【００２１】
また、用紙長を奇数倍したときの用紙長が所定範囲外になる場合には、印刷不可と定められている。例えば、図８において用紙長が５．０〜６．０インチの場合には、用紙長を１倍したときの折り畳み長は所定範囲の下限値未満となり、用紙長を３倍したときの折り畳み長は所定範囲の上限値を越えるため、印刷不可と定められている。
【００２２】
なお、折りぐせを除去する等によって折り畳まれていた状態と逆方向に折り畳んで収納できるようにした場合には、折り畳み長を用紙長の偶数倍の長さとし、かつ折り畳み長がエレベータスタッカＳに収納できる所定範囲内の長さになるようにして、折り畳むようにしてもよい。
【００２３】
また、用紙長を３以上の奇数倍で折り畳む場合、または偶数倍の折り畳み長で折り畳む場合には、折りぐせを除去するために、折り畳み長に応じて揺動角を定めてもよい。
【００２４】
タッチパネル１８は、コントローラ１２の表示制御によりオペレータに対する各種メッセージや指示を表示すると共に、連続紙Ｐの隣り合うミシン目１１の間隔の長さを表す用紙長を示すデータ等を入力することができる。第１搬送ローラ３０、第２搬送ローラ３２、第３搬送ローラ３４は各搬送ローラを駆動する駆動部に連結され用紙搬送経路に沿って連続紙Ｐを搬送するように配置されている。
【００２５】
また、連続紙印刷装置１０は、発光部１４ａ及び受光部１４ｂで構成された給紙口センサ１４、発光部１６ａ及び受光部１６ｂで構成されたスタッカセンサ１６、及び、発光部３８ａ及び受光部３８ｂで構成された枚数検出センサ３８を備えている。給紙口センサ１４は、給紙口Ｆ付近に設けられ、給紙口センサ１４出力から給紙口付近の連続紙Ｐの先端を検出することができる。スタッカセンサ１６は、印刷された連続紙Ｐが折り畳まれ収納されるエレベータスタッカＳの入口付近に設けられ、スタッカセンサ１６出力からエレベータスタッカＳの入口付近に連続紙Ｐの先端が到達したかどうか検出することができる。枚数検出センサ３８は、エレベータスタッカＳの側面付近に設けられ、枚数検出センサ３８出力から連続紙Ｐの枚数を検出することができる。
【００２６】
給紙口センサ１４、スタッカセンサ１６、及び枚数検出センサ３８は、連続紙Ｐの先端が到達した場合には、それぞれの発光部から出力された光が連続紙Ｐによって遮光され受光部で受光されなくなるためオフ信号を出力し、連続紙Ｐが到達しない場合には、それぞれの発光部から出力された光が受光部で受光されるためオン信号を出力する。これらのオフ信号及びオン信号は、コントローラ１２に入力される。
【００２７】
また、連続紙印刷装置１０に設けられた用紙折り畳み装置は、図２に示すように印刷された連続紙Ｐを折り畳むために揺動するスイングアーム３６を備えている。
【００２８】
スイングアーム３６は、エレベータスタッカＳの真上に平行に固定されている１対の第１固定部材６０及び第２固定部材６２、第１固定部材６０に対して揺動するように取り付けられた第１揺動部材６４、第１揺動部材６４と平行で、かつ第２固定部材６２に対して揺動するように取り付けられた第２揺動部材６６、第１固定部材６０と第１揺動部材とを連結するスイングアームシャフト６８ａ、及び第２固定部材６０と第２揺動部材とを連結するスイングアームシャフト６８ｂを備えている。更に、スイングアーム３６は、図示しないコントローラ１２によって正逆回転制御されるステッピングモータ７０、ステッピングモータ７０からの動力を伝えるタイミングベルト７２、タイミングベルト７２が掛け渡されたプーリ７４、及びプーリ７４の回転をスイングアームシャフト６８ａに伝えて第１揺動部材６４と第２揺動部材６６とを同期して揺動させる同期用ベルト７６を備えている。
【００２９】
図５に示すようにエレベータスタッカＳには、スイングアーム３６の第１揺動部材６４と第２揺動部材６６との間から搬出された連続紙Ｐを所定の位置に位置決めするサイドガイド８０、及び収納された連続紙ＰをエレベータスタッカＳの外側に引っ張ることができる柔軟性のある素材で形成されたパドル８２が設けられている。
【００３０】
サイドガイド８０及びパドル８２は、図示しない駆動装置によって、折り畳み長の下限値に対応する位置と折り畳み長の上限値の位置との間を、所定距離（例えば０．５インチ）毎に位置決めさせながら移動させることができる。
【００３１】
更に、連続紙印刷装置１０には連続紙Ｐに両面印刷するために、搬送経路の連続紙Ｐの表面及び裏面の各々に対応する位置に、第１の画像形成ユニット２２及び第２の画像形成ユニット各々が設けられている。第１の画像形成ユニット２２は、トナー像を連続紙Ｐの裏面に形成するものであり、第１感光体ドラム４０、第１現像器４２、第１転写ユニット４４、及び第１定着器４６の他、図示しない第１露光装置や第１帯電器等によって構成されている。また、第２の画像形成ユニット２４は、トナー像を連続紙Ｐの表面に形成するものであり、第２感光体ドラム５０、第２現像器５２、第２転写ユニット５４、及び第２定着器５６の他、図示しない第２露光装置や第２帯電器等によって構成されている。
【００３２】
第１の画像形成ユニット２２では、第１感光体ドラム４０近傍に配設された第１帯電器により、定速回転する第１感光体ドラム４０が一様に帯電されると、帯電された第１感光体ドラム４０表面が、第１露光装置により出力画像の画像データに応じて変調された光ビームで走査露光され、静電潜像が形成される。この静電潜像は第１現像器４２により現像される。現像されたトナー像は、第１転写ユニット４４で、給紙口Ｆから搬送された連続紙Ｐ上に転写される。連続紙Ｐに転写されたトナー像は、第１定着器４６で定着される。これにより、連続紙Ｐ上に画像が形成され、画像が形成された連続紙Ｐは更にエレベータスタッカＳまで搬送される。第２の画像形成ユニット２４における画像形成動作は、第１の画像形成ユニット２２と同様であるため説明を省略する。
【００３３】
なお、図１において、出力する画像の画像データを入力する画像入力部、及び入力された画像データに画像処理を施す画像処理部の図示は省略している。
【００３４】
コントローラ１２には、タッチパネル１８、折り畳み長変換テーブルを記憶したメモリ９０、給紙口センサ１４、スタッカセンサ１６、枚数検出センサ３８、第１搬送ロール３０、第２搬送ロール３２、第３搬送ロール３４、第１及び第２の画像形成ユニット２０、スイングアーム３６のステッピングモータ７０、及びエレベータスタッカＳの駆動装置が接続されている。
【００３５】
エレベータスタッカＳ、スイングアーム３６、コントローラ１２、及びメモリ９０は本実施の形態の用紙折り畳み装置を構成する。
【００３６】
図３に従って、本実施の形態に係る連続紙印刷装置１０のコントローラ１２による折り畳み動作の制御ルーチンを説明する。
【００３７】
ステップ１００では、給紙口センサ１４出力に基づいて給紙口Ｆに連続紙Ｐが挿入されたかどうかを判定する。連続紙Ｐが挿入されていなければステップ１２８へ進みエラーメッセージをタッチパネル１８に表示し、連続紙Ｐが挿入されていればステップ１０２へ進む。
【００３８】
ステップ１０２では、第１搬送ローラ３０、第２搬送ローラ３２、及び第３搬送ローラ３４を回転させて連続紙格納庫８６に収納された連続紙Ｐをスタッカセンサ１６によって連続紙Ｐが検出されるまで予め決められた一定速度で搬送するオートロードを行う。
【００３９】
ステップ１０４では、エレベータスタッカＳに連続紙Ｐが存在するかどうかをスタッカセンサ１６出力に基づいて判定し、連続紙Ｐが存在していれば、ステップ１０６へ進む。
【００４０】
ステップ１０６では、連続紙Ｐの用紙長がタッチパネル１８から入力されたかを判定し、用紙長が入力されていればステップ１０８へ進む。
【００４１】
用紙長が所定範囲内の長さであれば、用紙長の長さで折り畳むことができるので、ステップ１０８では、入力された用紙長が所定範囲内（例えば７インチ以上１４インチ以下）の長さであるか否かを判定する。入力された用紙長が所定範囲内の長さであればステップ１１２へ進む。入力された用紙長が所定範囲内の長さでなければ、ステップ１１０へ進む。
【００４２】
ステップ１１０では、入力された用紙長が所定範囲の下限（例えば、７インチ）未満か否かを判断し、未満であれば同様にステップ１１２へ進み、入力された用紙長が所定範囲の下限未満でなければ、用紙長が所定範囲の上限（例えば、１４インチ）よりも大きく、折り畳むことができないためステップ１２８へ進み、エラーメッセージをタッチパネル１８に表示する。
【００４３】
ステップ１１２では、サイドガイド８０及びパドル８２が入力された用紙長に対応した位置に位置決めされるように駆動装置によって移動をさせる。なお、サイドガイド８０及びパドル８２は、手動で用紙長に合わせて移動させることもできる。
【００４４】
ステップ１１４では、用紙搬送、印刷、スイングアーム３６、及びエレベータスタッカＳの動作を開始させる。用紙搬送、印刷、スイングアーム３６、及びエレベータスタッカＳの動作について説明すると、図４に示されるように、第１搬送ロール３０、第２搬送ロール３２、第３搬送ロールにより用紙搬送経路に沿って連続紙Ｐが搬送されオートロードが行われた後、第１の画像形成ユニット２２及び第２の画像形成ユニット２４を含む画像形成ユニット２０により片面または両面に印刷される。印刷された連続紙Ｐは、タッチパネル１８に入力された用紙長から図８の折り畳み長変換テーブルを参照し、用紙長に応じた折り畳み長を基に、スイングアーム３６がステッピングモータ７０によって揺動するように制御される。揺動するように制御されたスイングアーム３６によりエレベータスタッカＳに連続紙Ｐを折り畳み収納することができる。
【００４５】
図５は、連続紙Ｐを折り畳む用紙折り畳み装置のスイングアーム３６及びエレベータスタッカＳの動作を示した詳細図である。
【００４６】
スイングアーム３６の揺動によって、予め決められた一定速度で搬送されてくる連続紙Ｐがミシン目１１の部分で折り返され、エレベータスタッカＳに折り畳まれて収納される。折り畳まれた連続紙ＰがエレベータスタッカＳに収納される際、折り畳まれた連続紙Ｐは、サイドガイド８０によって所定の位置に位置決めされ、同時にパドル８２の回転によって折り畳まれた連続紙ＰをエレベータスタッカＳの外方向へ引っ張り、連続紙Ｐのしわを伸ばすことができる。更に、エレベータスタッカＳは連続紙Ｐが１枚ずつ折り畳まれる度に機械的に降下され、枚数検出センサ３８出力に基づいて枚数を計測することができる。
【００４７】
図７は、連続紙Ｐが用紙長の３倍の長さを持つ折り畳み長で折り畳まれていく様子を示した図である。
【００４８】
このように小さいサイズの用紙長を持つ連続紙Ｐであっても折り畳んでエレベータスタッカＳに収納することができる。
【００４９】
ステップ１１６では、エレベータスタッカＳに所定枚数の連続紙Ｐが折り畳まれて収納されたかどうかを枚数検出センサ３８出力に基づいて判定し、エレベータスタッカＳに所定枚数の連続紙Ｐが折り畳まれて収納された（以下、スタックフルと呼ぶ）場合にはステップ１２２において用紙搬送、印刷、スイングアーム３６、及びエレベータスタッカＳの動作を一時停止し、スタックフルと判定されなければステップ１１８へ進む。
【００５０】
次のステップ１２４では、エレベータスタッカＳがスタックフルであることを示すメッセージをタッチパネル１８に表示する。これによって、オペレータは、スタックフルを認識し、エレベータスタッカＳに収納された印刷済み連続紙Ｐを取り出す。
【００５１】
ステップ１２６では、枚数検出センサ３８出力に基づいて印刷済み連続紙Ｐが取り出されることによりスタックフルが解除されたかどうかを判定し、スタックフルが解除されなければステップ１２４へ戻り、スタックフルが解除されれば、ステップ１１４へ進んで次の印刷を行う。
【００５２】
ステップ１１８では、印刷終了したかどうかを判定し、印刷終了していなければステップ１１４へ戻り、印刷終了していればステップ１２０で、印刷が終了したところまで用紙搬送、スイングアーム３６、及びエレベータスタッカＳの動作をさせた後、それらの動作を終了させる。
【００５３】
なお、ステップ１２８におけるエラーに関しては、エラーメッセージを画像や文字でタッチパネル１８に出力してもよいし、もしくは、様々なエラー音をエラーに対応させてスピーカーなどから発生させてもよい。更に、本実施の形態では、用紙長をタッチパネル１８から入力する例について説明したが、自動で用紙長を検知してもよい。
【００５４】
図９（ａ）（ｂ）はスイングアームで連続紙Ｐの折りぐせを除去する場合の図である。図９において図５と同一部分には同一符号を付して説明を省略する。
【００５５】
図９（ａ）及び図９（ｂ）を詳細に説明すると、連続紙Ｐが元々折り畳まれていたときの折りぐせがついたまま連続紙Ｐを折り畳む場合、連続紙Ｐには折りぐせがついているためにきれいに折り畳むことができない可能性がある。実際の連続紙Ｐの用紙長と折り畳み長が異なる場合、用紙長を基に通常のスイングアーム３６の動作角度よりも高い位置まで揺動し、折りぐせがついたミシン目１１を逆方向に折り曲げることでエレベータスタッカＳに収納される連続紙Ｐをできるだけ平坦な状態になるように制御することができる。
【００５６】
例えば、図８に示すように４インチの用紙長の場合、用紙長の３倍（奇数倍の場合）の１２インチの折り畳み長で連続紙Ｐを折り畳むよう制御するが、１２インチの用紙長の場合よりもスイングアーム３６を大きく振り上げるように予め揺動する制御動作を定めているので、元々あった折ぐせを除去し、連続紙Ｐが折り畳み易くすることができる。
【図面の簡単な説明】
【００５７】
【図１】本実施の形態に係る連続紙を折り畳む用紙折り畳み装置を備えた連続紙印刷装置の概略構成を示した概略図である。
【図２】本実施の形態に係るスイングアームの詳細を示した機構図である。
【図３】本実施の形態に係る連続紙を折り畳む用紙折り畳み装置を備えた連続紙印刷装置による折り畳み動作の制御ルーチンを示すフローチャートである。
【図４】本実施の形態に係るオートロード後の連続紙を折り畳む用紙折り畳み装置を備えた連続紙印刷装置の概略構成を示した概略図である。
【図５】本実施の形態に係る連続紙を折り畳む用紙折り畳み装置を備えた連続紙印刷装置のスイングアーム及びエレベータスタッカが制御される動作を示した詳細図である。
【図６】本実施の形態に係る１枚毎に切り離し可能な複数のミシン目を持った連続紙である。
【図７】本実施の形態に係る連続紙が用紙長の３倍の長さを持つ折り畳み長で折り畳まれていく様子を示した詳細図である。
【図８】本実施の形態に係る連続紙の用紙長と、用紙長を奇数倍した折り畳み長と、印刷ができるかどうかの可否情報との関係を表した折り畳み長変換テーブルである。
【図９】本実施の形態に係る連続紙の折りぐせを除去するスイングアームの動作を示す変形例である。
【符号の説明】
【００５８】
１０    連続紙印刷装置
１１    ミシン目
１８    タッチパネル
３０    第１搬送ローラ
３２    第２搬送ローラ
３４    第３搬送ローラ
３６    スイングアーム
Ｐ    連続紙
Ｆ    給紙口
Ｓ    エレベータスタッカ
【図１】
2008063109.tif 000003
【図２】
2008063109.tif 000004
【図３】
2008063109.tif 000005
【図４】
2008063109.tif 000006
【図５】
2008063109.tif 000007
【図６】
2008063109.tif 000008
【図７】
2008063109.tif 000009
【図８】
2008063109.tif 000010
【図９】
2008063109.tif 000011